(57)【要約】【課題】既設の地中ケーブル管の分岐予定箇所に簡単に埋設施工して分岐管を引き出すことができ、施工期間の短縮と施工費用の大幅な節減を図ることができ分岐用ハンドホールを提供する。【解決手段】既設の地中ケーブル管１の下側に敷設される底板２と、点検口３が形成された上壁３ｂと孔開け加工の可能な左右の側壁３ｃを備え地中ケーブル管１を跨いで底板２に載置固定される逆Ｕ字形のハンドホール本体３と、地中ケーブル管が相対向する双方の半円形凹部４ｃ，４ｃに嵌まり込むらように二方から地中ケーブル管１を挟んだ状態でハンドホール本体３の前後両端にそれぞれ取付けられる二分割された妻壁４ａ，４ｂとからなる分岐用ハンドホールＳＨとする。【選択図】  図１
2005027375.tif 000002
【特許請求の範囲】
【請求項１】
既設の地中ケーブル管の下側に敷設される底板と、
点検口が形成された上壁と孔開け加工の可能な左右の側壁を備え、上記地中ケーブル管を跨いで上記底板に載置固定される逆Ｕ字形のハンドホール本体と、
上記地中ケーブル管が相対向する双方の半円形凹部に嵌まり込むように二方から上記地中ケーブル管を挟んだ状態で上記ハンドホール本体の前後両端にそれぞれ取付けられる二分割された妻壁と、
からなることを特徴とする分岐用ハンドホール。
【請求項２】
ハンドホール本体が、フレーム材で組立てた逆Ｕ字形の骨格に、上壁となる点検口が形成された上面パネルと、左右の側壁となる孔開け加工の可能な側面パネルを取付けたものである、請求項１に記載の分岐用ハンドホール。
【請求項３】
妻壁が上下に二分割された分割パネルからなり、その接合端部に相対向する半円形凹部が形成されたものである、請求項１又は請求項２に記載の分岐用ハンドホール。
【発明の詳細な説明】
【０００１】
【発明の属する技術分野】
本発明は、既設の地中ケーブル管の途中から新たに分岐管を引き出す場合に、その分岐箇所に簡単に埋設施工できる分岐用ハンドホールに関する。
【０００２】
【従来の技術】
近年、道路の景観を高め、円滑な道路交通を確保するため、電線や通信線などのケーブルを通した地中ケーブル管を道路や歩道に埋設する工事が急ピッチで進められている。斯かる地中ケーブル管１の途中には、図４（ａ）に示すように、ハンドホールＨが一定の間隔（光ファイバーケーブル管の場合は２５０ｍ程度の間隔）をあけて埋設されており、このハンドホールＨから分岐管１ａを引き出すことができるようになっている。
【０００３】
従来のハンドホールＨは、その大半がコンクリート製のものであり、例えば、コンクリート壁のケーブル貫通予定箇所に円筒状スリーブを埋め込むことによって、ケーブル管を差し込む孔を予め形成した箱型のハンドホール等が知られている（例えば特許文献１参照）。
【０００４】
【特許文献１】
特開平９−２２１７６８号公報（第１頁、第１図）
【０００５】
【発明が解決しようとする課題】
しかしながら、地中ケーブル管１を埋設した後、ハンドホールＨとハンドホールＨの中間部分から新たに分岐管を引き出す必要が生じた場合、従来の施工法では、図４（ａ）に示すように、近い方のハンドホールＨから分岐管１ａを地中ケーブル管１に沿わせて中間部分まで引き出し、そこから分岐管１ａを曲げて埋設施工するのが普通であった。そのため、分岐管１ａを引き出す一方のハンドホールＨから中間部分まで地中ケーブル管１沿いに数１０ｍ〜１００ｍ前後に亘って道路や歩道を掘り返し、分岐管１ａを埋設した後、再度舗装工事をしなければならないので、工事期間が長くなり工事費用が嵩むという問題があった。
【０００６】
上記の問題は、図４（ｂ）に示すように、地中ケーブル１の分岐予定箇所に新たな分岐用のハンドホールＳＨを埋設し、そこから分岐管１ａを引き出すようにすれば、一方のハンドホールＨから分岐用ハンドホールＳＨまでの範囲Ａの配管工事が不要になるので、一応解決することはできる。けれども、特許文献１に記載されたコンクリート製のハンドホールのように工場などで予め成形された一体型のものは、既設の地中ケーブル１の分岐予定箇所に後から埋設できないため、上記の問題を解決することは不可能であった。
【０００７】
従って、コンクリート製のハンドホールを既設の地中ケーブルの分岐予定箇所に後から埋設する場合は、その箇所でハンドホールの成形型を造り、コンクリートを成形型に打設してハンドホールを現場で成形しなければならないが、このように現場でハンドホールを成形する場合は熟練者が必要となり、しかも、施工が面倒で手間と時間と費用がかかるという問題があった。また、コンクリート製のハンドホールは、厚肉に成形して強度を確保する必要があるため嵩高となり、現場で成形型の組み立てにもある程度のスペースが必要となることから、特に、ガス管や水道管等が地中ケーブル管と平行して埋設されている市街地の狭小な歩道のように埋設スペースが小さい地中に埋設する場合には、施工がし辛く不利であった。
【０００８】
本発明は上記の問題に対処すべくなされたもので、その目的とするところは、既設の地中ケーブル管の分岐予定箇所に簡単に埋設施工して分岐管を引き出すことができ、施工期間の短縮と施工費用の大幅な節減を図ることができる分岐用ハンドホールを提供することにある。
【０００９】
【課題を解決するための手段】
上記目的を達成するため、本発明に係る分岐用ハンドホールは、
既設の地中ケーブル管の下側に敷設される底板と、
点検口が形成された上壁と孔開け加工の可能な左右の側壁を備え、上記地中ケーブル管を跨いで上記底板に載置固定される逆Ｕ字形のハンドホール本体と、
上記地中ケーブル管が相対向する双方の半円形凹部に嵌まり込むように二方から上記地中ケーブル管を挟んだ状態で上記ハンドホール本体の前後両端にそれぞれ取付けられる二分割された妻壁と、
からなることを特徴とするものである。
【００１０】
このような分岐用ハンドホールは、既設の地中ケーブル管の分岐予定箇所を掘り返して底板を地中ケーブル管の下側に敷設し、地中ケーブル管を跨いで逆Ｕ字形のハンドホール本体を底板に載置固定し、二分割状の妻壁の相対向する双方の半円形凹部に地中ケーブル管が嵌まり込むように二方から地中ケーブル管を二分割された妻壁で挟み、この状態で妻壁をハンドホール本体の前後両端にそれぞれ取付けた後、土を埋め戻すことによって、既設の地中ケーブル管の分岐予定箇所に簡単に埋設施工することができる。そして、ハンドホール本体の孔開け加工の可能な側壁に孔を開け、そこから分岐管を引き出して埋設配管することができる。従って、これまで分岐管を引き出していた既設ハンドホールから分岐予定箇所の本発明の分岐用ハンドホールに至るまでの範囲［図４（ｂ）に示す範囲Ａ］の分岐管の埋設工事が不要となるので、工事期間を短縮することが可能となり、工事費用も大幅に節減することが可能となる。
【００１１】
本発明の分岐用ハンドホールにおいては、そのハンドホール本体が、フレーム材で組立てた逆Ｕ字形の骨格に、上壁となる点検口が形成された上面パネルと、左右の側壁となる孔開け加工の可能な側面パネルを取付けたものであることが望ましい。このようなハンドホール本体は、組立てが簡単なうえに、コンクリート製のハンドホールに比べて壁の厚さ（パネルの厚さ）が遥かに薄いため、軽量で取り扱いが容易であり、壁が薄い分だけ埋設スペースも小さくなるので、市街地の狭小な歩道等に埋設する場合でも施工がしやすく有利である。
【００１２】
また、本発明の分岐用ハンドホールにおいては、その妻壁が上下に二分割された分割パネルからなり、その接合端部に相対向する半円形凹部が形成されたものであることが望ましい。妻壁は左右に二分割したものでもよいが、上記のように上下に二分割した分割パネルからなるものは、上側の分割パネルをハンドホール本体の前後両端に予め取付けたまま、地中ケーブル管を跨いでハンドホール本体を底板に載置固定でき、下側の分割パネルのみを後からハンドホール本体に取付ければよいので、現場での組立作業がさらに簡単になるといった利点を有する。
【００１３】
【発明の実施の形態】
以下、図面を参照して本発明の具体的な実施形態を詳述する。
【００１４】
図１は本発明の一実施形態に係る分岐用ハンドホールの斜視図、図２は同分岐用ハンドホールの分解斜視図、図３（ａ）〜（ｆ）は同分岐用ハンドホールの埋設施工手順の説明図である。
【００１５】
この分岐用ハンドホールＳＨは、底板２と、逆Ｕ字形のハンドホール本体３と、妻壁となる上下に二分割された分割パネル骨格４ａ，４ｂと、蓋受枠５とで構成された直方体形状のハンドホールであって、既設の地中ケーブル管１の分岐予定箇所に埋設施工されるものである。
【００１６】
底板２は地中ケーブル管１の下側に敷設される長方形の板であって、例えば、ＦＲＰ、ＳＭＣ（シートモールディングコンパウンド）、レジンコンクリート等からなる強度の大きい樹脂板が使用される。この底板２の前後両端部（長手方向両端部）には、下側の分割パネル４ｂの下端中央部をボルトやリベットなどの止具６で固定するための止具孔２ｂが穿孔された起立片２ａ，２ａが取付けられている。
【００１７】
逆Ｕ字形のハンドホール本体３は、地中ケーブル管１を跨いで上記の底板２に載置固定されるものであって、フレーム材３ａで逆Ｕ字形に組み立てた骨格に、上壁となる上面パネル３ｂ及び左右の側壁となる側面パネル３ｃ，３ｃを止具６等で貼付けることによって製作されたものである。
【００１８】
もう少し詳しく説明すると、ハンドホール本体３の骨格は、ＦＲＰ等の樹脂製あるいは鉄等の金属製のＬ形断面を有する抗折強度の大きいフレーム材３ａを用いて、図２に示すような逆Ｕ字形の骨格（四隅の縦フレーム材と、これらの縦フレーム材の上端間に架け渡した前後方向及び左右方向のフレーム材と、これらの縦フレーム材の下端を連結する前後方向のフレーム材よりなる逆Ｕ字形の骨格）を組み立てたものであり、各フレーム材３ａの接合端部は溶接により固定されるか、又は、接合部品（不図示）で固定されている。そして、各フレーム材３ａには、側面パネル３ｃや分割パネル４ａ，４ｂをボルトやリベット等の止具６で固定できる止具孔３ｄが穿孔されている。
【００１９】
尚、ハンドホール本体３の骨格は、地中ケーブル管１を跨ぐことができる逆Ｕ字形に構成されているものであれば、図２に示す実施形態のものに限定されることはなく、例えば、骨格の強度を上げるために前後の縦フレーム材３ａの間に補強用の中間の縦フレーム材（不図示）を追加するなど種々の変更が可能である。
【００２０】
この骨格の上に重ねて取付けられる上面パネル３ｂは、上記の底板２と同様のＦＲＰ、ＳＭＣ、レジンコンクリート等からなる強度の大きい板であり、自動車等の荷重に十分耐え得る厚肉の板が使用される。この上面パネル３ｂはボルトやブラインドリベット等の止具で骨格に取付けてもよく、また、接着剤を用いて取付けてもよい。上面パネル３ｂの中央には点検口３ｅが形成され、この点検口３ｅの周囲に鉄製の蓋受枠５が固定されている。そして、この蓋受枠５に鉄製の蓋（不図示）が被着されるようになっている。。
【００２１】
骨格の左右両側に張付けられる側面パネル３ｃは、施工現場においてホールソー等により分岐管を通す孔を開けることができる材質のもの、例えば、ポリエチレン、ポリプロピレン等の合成樹脂パネルや、発泡ウレタンをＦＲＰ板で挟んだ複合パネル、ＳＭＣ（シートモールディングコンパウンド）やレジンコンクリート製のパネルなどが使用される。また、孔開け加工が可能である限り、金属製のパネルも使用可能である。この側面パネル３ｃは、材質や骨格の大きさ（縦フレーム材３ａの相互間隔）等を勘案して、土圧に耐え得る強度を有する厚さのものが使用される。この側面パネル３ｃの周縁部には止具孔３ｆが形成され、ボルトやリベット等の止具６で骨格に張付けられている。
【００２２】
上下に二分割された分割パネル４ａ，４ｂは、上記の側面パネル３ｃと同材質のパネルであって、双方の分割パネル４ａ，４ｂの接合端部、つまり上側の分割パネル４ａの下端部と下側の分割パネル４ｂの上端部には、地中ケーブル管１の外半径に等しい半径の半円形凹部４ｃ，４ｃが相対向して形成されており、また接合端部を除く三方の端部には止具孔４ｄが穿孔されている。これらの分割パネル４ａ，４ｂは、その半円形凹部４ｃ，４ｃに既設の地中ケーブル管１が嵌まり込むように上下から地中ケーブル管１を挟んだ状態で、ハンドホール本体３の骨格の前後両端と底板２の起立片２ａ，２ａとに止具６で取付けられ、地中ケーブル管１が貫通する直方体形状の分岐用ハンドホールＳＨが組み立てられている。
【００２３】
上記のようにハンドホール本体３の骨格に上面パネル３ｂ、側面パネル３ｃ、上下の分割パネル４ａ，４ｂを取付ける際には、各パネル３ｂ，３ｃ，４ａ，４ｂと骨格のフレーム材３ａとの間に防水材を介在させることが望ましく、更に、組立てが終ってから、パネル相互の接合部や、パネル３ｃ，４ｂと底板２との接合部を防水材で防水処理することが望ましい。防水材としては、ゴムパッキン、コーキング材、二液硬化型のウレタンやエポキシ樹脂などが使用される。
【００２４】
次に、図３を参照しながら、上記構成の分岐用ハンドホールＳＨの埋設施工手順を説明する。
【００２５】
まず、図３（ａ）に示すように、既設の地中ケーブル管１の分岐予定箇所に分岐用ハンドホール埋設するための穴７を堀り、その穴底に排水性を付与するための砕石層（不図示）や砂層（不図示）を設けてから、底板２を地中ケーブル管１の下側の穴底に敷設する。
【００２６】
次いで、図３（ｂ）に示すように、上面パネルを取付けないで上側の分割パネル４ａを取付けた逆Ｕ字形のハンドホール本体３を上方から地中ケーブル管１を跨ぐように被せ、図３（ｃ）に示すように、底板２の上にハンドホール本体３を載置固定する。そして、下側の分割パネル４ｂをハンドホール本体３の前後両端と底板２の起立片２ａに止具で取付け、地中ケーブル管１が貫通した上面パネルのない分岐用ハンドホールを組み立てる。なお、地中ケーブル管３を跨いでハンドホール本体３を底板２に載置するときには、上側の分割パネル４ａをハンドホール本体３に取付けていなくてもよいが、この施工手順に示すように上側の分割パネル４ａを予め取付けてあると、載置後に上側の分割パネル４ａを取付ける作業が不要となるので施工性が向上し、しかも、分割パネル４ａによって逆Ｕ字形のハンドホール本体３の強度が増すため、変形や歪みを防止できる利点がある。
【００２７】
上面パネルのない分岐用ハンドホールＳＨの組立てが終わると、図３（ｄ）に示すように、上面パネル３ｂと蓋受枠５を取付ける前に、ハンドホール本体３の側面パネル３ｃに孔を開け、この孔に分岐管１ａを差込み接続すると共に、地中ケーブル管１から分岐線を分岐管１ａへ引き出す。そして、図３（ｅ）に示すように上面パネル３ｂと蓋受枠５を取付け、前述したようにパネル相互の接合部の防水処理を行うと共に、地中ケーブル管１と分割パネル４ａ，４ｂの半円形凹部４ｃ，４ｃとの防水処理や、分岐管１ａと側壁パネル３ｃの孔との防水処理を行い、図（ｆ）に示すように土を埋め戻して、分岐用ハンドホールＳＨの埋設施工工事を完了する。
【００２８】
このように、本発明の分岐用ハンドホールＳＨは、既設の地中ケーブル管１の分岐予定箇所に簡単に埋設して、その側面から分岐管１ａを引き出すことができるため、図４（ｂ）に示すように、従来の分岐管を引き出していた既設ハンドホールＨから本発明の分岐用ハンドホールＳＨに至るまでの範囲Ａにおける分岐管の埋設工事が不要となり、工事期間の短縮と工事費用の大幅な節減を達成することができる。しかも、本発明の分岐用ハンドホールＳＨは組立てが簡単な上に、コンクリート製のハンドホールに比べて壁の厚さ（パネルの厚さ）が遥かに薄いため軽量で取り扱いが容易であり、壁が薄い分だけ埋設スペースも小さくなるので、市街地の狭小な歩道等に埋設する場合でも施工がしやすく有利である。
【００２９】
以上、代表的な実施形態を例示して本発明の分岐用ハンドホールを詳細に説明したが、本発明はこの実施形態のみに限定されるものではなく、例えば、逆Ｕ字形のハンドホール本体３をＦＲＰ等の強度の大きい樹脂で一体に成形したり、妻壁となる分割パネルを左右に二分割されたパネルとするなど、種々の設計的な変更を許容し得るものである。
【００３０】
【発明の効果】
本発明の分岐用ハンドホールは、既設の地中ケーブル管の分岐予定箇所に簡単に埋設して分岐管を引き出すことができるため、分岐管の埋設配管工事の工事期間の短縮と工事費用の大幅な節減を達成できるといった顕著な効果を奏する。そして、フレーム材で組立てた逆Ｕ字形の骨格に上面パネルと左右の側面パネルを取付けたハンドホール本体を採用したものは、組立てが簡単なうえに、コンクリート製のハンドホールに比べてパネルの厚さが遥かに薄いため、軽量で取り扱いが容易であり、しかも、壁が薄い分だけ埋設スペースも小さくて済むので、市街地の狭小な歩道等に埋設する場合でも施工がしやすく有利であるといった効果を併せて奏する。
【図面の簡単な説明】
【図１】本発明の一実施形態に係る分岐用ハンドホールの斜視図である。
【図２】同分岐用ハンドホールの分解斜視図である。
【図３】（ａ）〜（ｆ）は同分岐用ハンドホールの埋設施工手順の説明図である。
【図４】（ａ）は既設のハンドホールから分岐管を引き出す従来工法の説明図、（ｂ）は本発明の分岐用ハンドホールを用いて分岐管を引き出す工法の説明図である。
【符号の説明】
ＳＨ  分岐用ハンドホール
１  地中ケーブル管
１ａ  分岐管
２  底板
３  逆Ｕ字形のハンドホール本体
３ａ  フレーム材
３ｂ  上面パネル
３ｃ  側面パネル
３ｅ  点検口
４ａ，４ｂ  妻壁となる上下に二分割された分割パネル
４ｃ  半円形凹部
【図１】
2005027375.tif 000003
【図２】
2005027375.tif 000004
【図３】
2005027375.tif 000005
【図４】
2005027375.tif 000006